【事件の表示】
　平成１１年特許願第　８５２１９号「記録装置および記録方法、再生装置および再生方法、並びに記録再生システム」拒絶査定不服審判事件〔平成１２年１０月１３日出願公開、特開２０００−２８５５９５〕について、次のとおり審決する。
【結　論】
　本件審判の請求は、成り立たない。
【理　由】
１．手続の経緯・本願発明　
　
　本願は、平成１１年３月２９日に出願したものであって、その請求項１に係る発明は、平成２２年１０月８日付け手続補正書の特許請求の範囲の請求項１に記載された事項により特定される次のとおりのものである。
　
「【請求項１】
　ランダムアクセス可能な記録媒体に、データを記録する記録装置であって、
　前記記録媒体に、前記データを記録する記録手段と、
　前記記録媒体における所定数のセクタで構成される各クラスタ領域に、データ記録領域とヘッダ領域とを設定し、ユーザの操作に応じて入力される操作入力情報に基づいて、前記クラスタが指定された場合、前記指定されたクラスタの前記データ記録領域に前記データが所定の圧縮率で圧縮された圧縮データを記録し、前記ヘッダ領域に、前記データ記録領域に記録されるデータの圧縮率及び前記データ記録領域の先頭に記録されるデータのタイムコードを記録するように、前記記録手段を制御する制御手段と
　を含むことを特徴とする記録装置。」（以下「本願発明」という。）
　
２．引用例及びその記載
　
　これに対し、当審で通知した平成２２年８月１６日付けの拒絶理由に引用した特開平６−１９７３０６号（平成６年７月１５日公開、以下「引用例１」という。）には、図面と共に、以下の記載がある。（なお、下線は当審で付与した。）
　
（１）「【請求項１】　
映像及び音声を所定時間毎のデータ・ブロック化して着脱自在な記録媒体に記録する記録再生装置
　
（２）「【０００１】
【産業上の利用分野】
本発明は、映像及び音声を記録媒体に記録又は再生する記録再生装置及び再生装置に関する
　
（３）「【００２０】
映像及び音声の記録では、通常、２つのタイムコードを使用する。第１に、記録媒体又は映像音声プログラムの冒頭からの経過時間やカメラ撮影の累積時間であり
【００２１】アドレス情報発生回路４８は、メモリ制御回路３８からのアドレス情報から、記録情報のデータ量や先頭アドレスに関する情報を発生し、ＩＤ発生回路３４に供給する。　
【００２２】ＩＤ発生回路３４は、回路２２，３０，４０，４６，４８からの情報を所定フォーマットに成形して、データ合成回路３２に印加する。データ合成回路３２は、
一定時間Ｔ
０
（例えば、１秒）内に音声圧縮回路２２及び映像圧縮回路３０が生成する音声及び映像の圧縮データを合成し、ＩＤ発生回路３４からのＩＤデータを付加して、１つのデータ・ブロックとする
【００２３】ＩＤ発生回路３４の出力データ・フォーマットを図２に示す。図２に示すように、ＩＤ発生回路３４による合成データ列又は
データ・ブロックは、固定長のＩＤデータ領域、可変長の音声データ領域及び可変長の映像データ領域からなる
【００２４】
ＩＤデータ領域は、ＩＤ（番号）、タイムコード、画質のモード、映像データ長、映像先頭番地、音質のモード、音声データ長、音声先頭番地及び削除済みフラグからなる
【００２５】
音声データ領域は、１秒間の音声信号の圧縮データからなり
映像データ領域は、１秒間、即ち３０フレームの映像信号の圧縮データからなり
　
（４）「【００２９】マスメモリ３６のメモリ空間を図４に示す。このシステムでは、
マスメモリ３６のメモリ空間を基本的に３つの領域に区分する
第３は、データを記憶する領域である
【００３０】図４では、第１のシーン＃１をＩＤ０〜ＩＤ１９にわたり記録し、続けて第２のシーン＃２をＩＤ２０〜ＩＤ４４に記録し、第３のシーン＃３をＩＤ４５以降に記録するとしている。目次テーブルの各記憶位置ＴＣ（ｎ）には、記録シーン毎にその順番で先頭のＩＤ番号が記録され、ＩＤテーブルの各記憶位置ＩＤ（ｎ）にはＩＤ番号がｎのデータ・ブロックが記録されるデータ領域の先頭アドレスＸ，Ｙが記録され、
データ領域には、図２に示す構造のデータ・ブロックが空き領域に順番に記録される
【００３１】ちなみに、データ領域を論理的に（Ｘ，Ｙ）の二次元で表現しているが、一次元で表現してもよいことはいうまでもない。
【００３２】シーン＃１，＃２，＃３の記録に対するＳＰ、ＣＣ、目次テーブルＣＴ（ｎ）及びＩＤテーブルＩＤ（ｎ）の変化を表として、図５に示す。最初の記録前の記録ポーズ状態では、ＳＰ＝０、ＣＣ＝０であり、ＩＤ（０）には、データ領域の先頭アドレス（Ｘ０，Ｙ０）がセットされている。
【００３３】
使用者によるシーン＃１の記録開始の指示に応じて
データ・ブロックは、ＩＤ（０）で示されるデータ領域のアドレス、即ち（Ｘ０，Ｙ０）から順次書き込まれていく
【００３４】なお、データ領域へのデータ・ブロックの書込みに応じて、ＩＤテーブルには、次のデータ・ブロックの先頭記録アドレスが、そのＩＤ番号に相応する記憶位置に書き込まれる。即ち、ＩＤ（ｎ）のデータ・ブロックの書込み終了後、ＩＤテーブルのＩＤ（ｎ＋１）に、次のデータ・ブロックの書込み開始アドレスが書込まれる。
【００３５】このようにして、シーン＃１の撮影（記録）がＩＤ１９で終了し、記録ポーズになったとする。この時点で、ＳＰはインクリメントされて１になり、ＣＣには次のＩＤ番号である２０がセットされる。次のシーンを記録するときには、ＣＣが示すＩＤ番号から開始し、ＳＰが示す目次テーブルＴＣ（ＳＰ）にそのＩＤ番号をセットし、且つ、ＩＤテーブルで、ＣＣが示すＩＤ番号に対応する記憶位置に記憶されるアドレスから、データ・ブロックを記録する。
【００３６】即ち、次のシーン＃２を開始したとき、ＳＰ＝１でＣＣ＝２０であるから、目次テーブルのＴＣ（１）にＣＣが示すＩＤ番号（ここでは２０）をセットする。ＩＤ発生回路３４は、２０からスタートし、１秒毎にインクリメントするＩＤ番号を発生する。ＩＤテーブルの、ＣＣが示すＩＤ番号の記憶位置から、データ・ブロックの記録開始アドレスが分かり、データ合成回路３２により合成されたデータ・ブロックは、そのアドレスから順にデータ領域に記憶される。ＩＤテーブルには、シーン＃１と同様に、各ＩＤの先頭記憶アドレスがセットされる。
【００３７】シーン＃２の撮影（記録）がＩＤ４４で終了したとすると、この時点で、ＳＰはインクリメントされて２になり、ＣＣには次のＩＤ番号である４５がセットされる。」
　
（５）「【００６８】なお、本明細書、特に特許請求の範囲で、
記録再生装置は
記録専用装置、再生専用装置及び記録再生兼用装置を包含するものである
【００６９】固体メモリを記録媒体又は記憶媒体とする実施例を説明したが、
本発明は、ハード・ディスク装置、光ディスク、光磁気ディスクなどのその他の記録媒体の利用を排除するものではない
　
　上記摘示事項（１）ないし（４）及び図面の記載を総合勘案すると、引用例１には次の発明（以下「引用発明」という。）が記載されているものと認める。
　
「音声及び映像を所定時間毎にデータ・ブロック化して記録媒体に記録する記録装置であって、
　１つのデータ・ブロックは、ＩＤデータ領域、音声及び映像データ領域からなり、
　ＩＤデータ領域は、タイムコード、音質及び画質モード等からなり、
　音声及び映像データ領域は、圧縮データからなり、
　使用者による記録開始の指示に応じて、データ・ブロックを記録媒体のデータ領域に順番に記録する記録装置。」　
　
　同じく、当審で通知した平成２２年８月１６日付けの拒絶理由に引用した特開平１０−２６９７０６号公報（平成１０年１０月９日公開、以下「引用例２」という。）には、図面と共に、以下の記載がある。
　
（６）「【０００２】
【従来の技術】近年、画像情報や音声情報をなるべく劣化させずに圧縮符号化して、再び再生手段によりその圧縮符号化した情報素材を複合化する技術が発達してきている。その画像情報や音声情報を圧縮符号化して復号化（伸張）する方式としては、例えばＭＰＥＧ（エムペグ：Ｍｏｔｉｏｎ　Ｐｉｃｔｕｒｅ　Ｅｘｐｅｒｔｓ　Ｇｒｏｕｐ）システム規格で圧縮して多重化されたビデオオーディオ素材等は、図１１に示すように複数のクリップから構成されている。このクリップとは、複数個のクラスタ、例えば図１１の例では４個のクラスタから構成されている。このクラスタとは、ハードディスク（ＨＤ）に形成されている一般にセクタと呼ばれるある単位（例えば５１２バイト）の整数倍の単位である。図１１の例では２つの前のクリップＣＰ１とあるクリップＣＰ２が示されている。」
　　
３．対比　
　
　引用発明と本願発明とを対比する。
（１）引用発明と本願発明の「記録媒体」及び「記録装置」は共通し、引用発明の「音声及び映像」は、本願発明の「データ」に相当し、そして、引用発明の「記録媒体」は、固体メモリ、ハードディスク装置等のことであるから、ランダムアクセス可能であることは明らかである。
（２）引用発明の「記録装置」は、音声及び映像を記録媒体に記録するものであるから、本願発明の「記録手段」に相当する構成を備えている。
（３）引用発明の「データ・ブロック」は、「記録媒体のデータ領域」に記録されるのであるから、記録媒体上の領域に記録されることは明らかである。
（４）引用発明の「ＩＤデータ領域」「音声及び映像データ領域」「音質及び画質モード」及び「タイムコード」は、本願発明の「ヘッダ領域」「データ記録領域」「圧縮率」及び「タイムコード」にそれぞれ相当する。
（５）引用発明は、「使用者による記録開始の指示に応じて、データ・ブロックを記録媒体のデータ領域に順番に記録する」ものであるから、本願発明の「ユーザの操作に応じて入力される操作入力情報に基づいて、」「前記データ記録領域に前記データが所定の圧縮率で圧縮された圧縮データを記録し、前記ヘッダ領域に、前記データ記録領域に記録されるデータの圧縮率及び前記データ記録領域の先頭に記録されるデータのタイムコードを記録する」に相当する構成を備えている。
（６）引用発明は、「音声及び映像を所定時間毎にデータ・ブロック化して記録媒体に記録する」のであるから、本願発明の「制御手段」に相当する構成を備えている。
　　　　
　そうすると、引用発明と本願発明は次の点で一致する。
　
＜一致点＞
「ランダムアクセス可能な記録媒体に、データを記録する記録装置であって、
　前記記録媒体に、前記データを記録する記録手段と、
　前記記録媒体における各領域に、データ記録領域とヘッダ領域とを設定し、ユーザの操作に応じて入力される操作入力情報に基づいて、前記データ記録領域に前記データが所定の圧縮率で圧縮された圧縮データを記録し、前記ヘッダ領域に、前記データ記録領域に記録されるデータの圧縮率及び前記データ記録領域の先頭に記録されるデータのタイムコードを記録するように、前記記録手段を制御する制御手段と
　を含む記録装置。」の点。
　
　そして、次の点で相違する。
　
＜相違点＞
　本願発明は、所定数のセクタで構成されるクラスタ領域にデータ記録領域とヘッダ領域とを設定し、クラスタを指定し、指定されたクラスタに記録するのに対し、引用発明はデータ・ブロック化して記録媒体のデータ領域に記録する点。
　
４．判断
　引用例２には、画像情報や音声情報を圧縮符号化する際に、セクタの整数倍の単位であるクラスタを単位とすることが従来技術として記載されている。
　そうすると、引用発明において、音声及び映像をデータ・ブロック化して記録媒体のデータ領域に順番に記録することに代えて、引用例２に記載された上記技術を適用して、記録媒体にクラスタ領域を設定して記録すること、すなわち、相違点の、所定数のセクタで構成されるクラスタ領域にデータ記録領域とヘッダ領域とを設定し、クラスタを指定し、指定されたクラスタに記録することは当業者が容易に想到できたものである。
　
　なお、審判請求人は、平成２２年１０月８日付け意見書において、「すなわち、本願発明においては、記録媒体の
各クラスタ
の先頭セクタに、タイムコードと圧縮率を記録し、その先頭セクタに続くセクタに、圧縮データが記録される
　しかしながら、本願発明には、クラスタの各セクタに関する特定事項（「先頭セクタに、タイムコードと圧縮率を記録し、その先頭セクタに続くセクタに、圧縮データが記録される」）を有しておらず、請求人の上記主張は本願発明に基づくものではないので採用することができない。
　
　そして、上記相違点を総合的に判断しても本願発明が奏する効果は引用例１及び２に基づいて当業者が十分に予測できたものであって格別なものとはいえない。
　
５．むすび
　以上のとおり、本願の請求項１に係る発明は、引用例１及び２に記載された発明に基づいて、当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。